(57)【要約】【課題】身体の汚れに対する拭き取り性能を高めることができる清拭用手袋を提供することを課題とする。【解決手段】手袋本体からなる清拭用手袋であって、手袋本体は不織布であるシート２０によって筒状に形成されている。シート２０は、内側シート２１と、内側シート２１の外面２１ａに積層された外側シート２２と、を備えている。外側シート２２の外面２２ａには複数の凸部２２ｃがエンボス加工によって形成されている。また、内側シート２１の内面２１ｂにも複数の凸部をエンボス加工によって形成することもできる。【選択図】図２
2015047462.tif 000002
【特許請求の範囲】
【請求項１】
手袋本体からなる清拭用手袋であって、
前記手袋本体は不織布であるシートによって筒状に形成されており、
前記シートは、内側シートと、前記内側シートの外面に積層された外側シートと、を備え、
前記外側シートの外面には複数の凸部がエンボス加工によって形成されていることを特徴とする清拭用手袋。
【請求項２】
手袋本体からなる清拭用手袋であって、
前記手袋本体は不織布であるシートによって筒状に形成されており、
前記シートは、内側シートと、前記内側シートの外面に積層された外側シートと、を備え、
前記外側シートの外面には複数の凸部がエンボス加工によって形成されるとともに、
前記内側シートの内面には複数の凸部がエンボス加工によって形成されていることを特徴とする清拭用手袋。
【請求項３】
手袋本体からなる清拭用手袋であって、
前記手袋本体は不織布であるシートによって筒状に形成されており、
前記シートは、内側シートと、前記内側シートの外面に積層された中間シートと、前記中間シートの外面に積層された外側シートと、を備え、
前記外側シートの外面には複数の凸部がエンボス加工によって形成されるとともに、
前記内側シートの内面には複数の凸部がエンボス加工によって形成されていることを特徴とする清拭用手袋。
【発明の詳細な説明】
【技術分野】
【０００１】
本発明は、身体を拭くための清拭用手袋に関する。
【背景技術】
【０００２】
身体の汚れを拭き取るための清拭用手袋としては、不織布である二枚のシートの両側部および先端部を熱融着（ヒートシール）した袋状の手袋本体が形成されているものがある（例えば、特許文献１参照）。このような清拭用手袋は、高齢者や病人等の介護において好適に使用される。
【先行技術文献】
【特許文献】
【０００３】
【特許文献１】特許第４４２２９３１号公報
【発明の概要】
【発明が解決しようとする課題】
【０００４】
前記した従来の清拭用手袋では、手袋本体に手を挿入すると、掌側および手の甲側にそれぞれ一枚のシートが配置され、身体の汚れを拭き取る際には、掌側のシートの平坦な面を利用する。このような従来の清拭用手袋では、身体の汚れに対する拭き取り性能を高めることが望まれている。
【０００５】
そこで、本発明は、身体の汚れに対する拭き取り性能を高めることができる清拭用手袋を提供することを課題とする。
【課題を解決するための手段】
【０００６】
前記課題を解決するため、本発明は、手袋本体からなる清拭用手袋であって、前記手袋本体は不織布であるシートによって筒状に形成されている。前記シートは、内側シートと、前記内側シートの外面に積層された外側シートと、を備えている。前記外側シートの外面には複数の凸部がエンボス加工によって形成されている。
【０００７】
また、本発明の他の構成は、手袋本体からなる清拭用手袋であって、前記手袋本体は不織布であるシートによって筒状に形成されている。前記シートは、内側シートと、前記内側シートの外面に積層された外側シートと、を備えている。前記外側シートの外面には複数の凸部がエンボス加工によって形成されるとともに、前記内側シートの内面には複数の凸部がエンボス加工によって形成されている。
【０００８】
また、本発明の他の構成は、手袋本体からなる清拭用手袋であって、前記手袋本体は不織布であるシートによって筒状に形成されている。前記シートは、内側シートと、前記内側シートの外面に積層された中間シートと、前記中間シートの外面に積層された外側シートと、を備えている。前記外側シートの外面には複数の凸部がエンボス加工によって形成されるとともに、前記内側シートの内面には複数の凸部がエンボス加工によって形成されている。
【０００９】
本発明では、外側シートの外面にエンボス加工によって複数の凸部を形成することで、手袋本体の外面に複数の凸部が形成される。そして、手袋本体によって身体を拭いたときに、各凸部によって身体の汚れが掻き落とされるため、身体の汚れを確実に拭き取ることができる。
また、外側シートの各凸部は中空であるため、手袋本体の肌触りを良くするとともに、手袋本体の吸水性を高めることができる。
【００１０】
また、内側シートの内面にも凸部を形成した構成では、内側シートと外側シートとの間に形成される空隙が大きくなるため、手袋本体の外面を柔らかくするとともに、手袋本体の吸水性をより高めることができる。
【発明の効果】
【００１１】
本発明の清拭用手袋では、手袋本体の外面の各凸部によって身体の汚れが掻き落とされ、身体の汚れを確実に拭き取ることができるため、身体の汚れに対する拭き取り性能を高めることができ、身体を清潔に拭き上げることができる。また、外側シートの各凸部が中空であるため、手袋本体の外面の肌触りを良くするとともに、手袋本体の吸水性を高めることができる。
【図面の簡単な説明】
【００１２】
【図１】本実施形態の清拭用手袋を示した斜視図である。
【図２】シートにエンボス加工を施した構成を示した図で、（ａ）は平面図、（ｂ）はＡ−Ａ断面図である。
【図３】エンボス加工を施したシートの製造工程を示した説明図である。
【図４】シートにエンボス加工を施した構成の変形例を示した図で、（ａ）は外側シートおよび内側シートにエンボス加工を施した構成の断面図、（ｂ）は外側シートと内側シートとの間に中間シートを設けた構成の断面図である。
【発明を実施するための形態】
【００１３】
本発明の実施形態について、適宜図面を参照しながら詳細に説明する。
本実施形態の清拭用手袋１は、図１に示すように、高齢者や病人等の身体の汚れを拭き取る際に使用するものであり、使用者の手２に装着して使用する。
清拭用手袋１は、ミトン形状の手袋本体１０からなる。手袋本体１０の両面に拭き取り面が形成されている。使用者は手袋本体１０に手２を挿入し、掌側の拭き取り面を利用して身体の汚れを拭き取る。
【００１４】
手袋本体１０は、不織布である二枚のシート２０，２０の基端部以外の外周部同士を接合してミトン形状に形成されている。手袋本体１０の基端部には挿入口１１が開口している。また、手袋本体１０の先端部には、親指が挿入される空間１２と、その他の指が挿入される空間１３とが形成されている。
【００１５】
手袋本体１０は、同じ形状の二枚のシート２０，２０の基端部以外の外周部同士を熱融着（ヒートシール）することで形成されている。本実施形態では、両シート２０，２０の縁部よりも内側を、両シート２０，２０の縁部に沿って熱融着しているため、両シート２０，２０の接合部位の縁部の柔軟性が保たれている。
【００１６】
不織布であるシート２０は、コットン、パルプおよびレーヨン等の吸水性を有する繊維によって構成されている。二枚のシート２０，２０は同じ形状に形成されている。シート２０を構成する繊維の材質等は限定されるものではないが、汚れの拭き取り性能や肌触り等を考慮して、吸水性や柔軟性を有するものを使用する。
【００１７】
シート２０は、図２（ｂ）に示すように、二層の不織布であり、内側シート２１と、内側シート２１の外面２１ａに積層された外側シート２２と、を備えている。内側シート２１は、外面２１ａおよび内面２１ｂが平坦なシートである。
【００１８】
外側シート２２の外面２２ａには、複数の凸部２２ｃ，２２ｄがエンボス加工によって形成されている。各凸部２２ｃ，２２ｄは中空な半円球形状に形成されている。本実施形態では、図２（ａ）に示すように、大径の凸部２２ｃと小径の凸部２２ｄとが形成されている。そして、四つの大径の凸部２２ｃの間に小径の凸部２２ｄが配置されている。
外側シート２２の内面２２ｂには、図２（ｂ）に示すように、各凸部２２ｃ，２２ｄによって半円球状の窪み部が形成されている。
シート２０を用いて手袋本体１０（図１参照）を形成する場合には、外側シート２２の外面２２ａが手袋本体１０の拭き取り面となるようにシート２０を配置する。これにより、拭き取り面に複数の凸部２２ｃ，２２ｄが配置される。
【００１９】
内側シート２１と外側シート２２とは、各凸部２２ｃ，２２ｄの周囲において点状に熱融着されている（図２（ａ）参照）。
このように、各凸部２２ｃ，２２ｄの周囲を点状に熱融着することで、各凸部２２ｃ，２２ｄが押されたときに、各凸部２２ｃ，２２ｄから空気が抜け易くなるため、シート２０の肌触りを良くすることができる。
【００２０】
次に、前記したシート２０の製造工程について説明する。
シート２０の製造装置１００は、図３に示すように、第一ギヤ１１０と、第一ギヤ１１０の側方に配置された第二ギヤ１２０と、第一ギヤ１１０の下方に配置されたローラ１３０と、を備えている。
【００２１】
第一ギヤ１１０は図３において時計回りに回転し、第二ギヤ１２０は図３において反時計回りに回転する。第一ギヤ１１０の歯面と第二ギヤ１２０の歯面とは噛み合っている。
ローラ１３０は軸断面が円形に形成されており、図３において反時計周りに回転する。
【００２２】
内側シート２１は、ロール状の原反２１０から引き出され、第一ギヤ１１０とローラ１３０との間を通過する。
外側シート２２は、ロール状の原反２２０から引き出され、第一ギヤ１１０と第二ギヤ１２０との間を通過する。このとき、外側シート２２は第一ギヤ１１０の歯面と第二ギヤ１２０の歯面との間に挟み込まれ、外側シート２２の外面２２ａに凸部２２ｃ，２２ｄが形成される。
【００２３】
さらに、外側シート２２は、第一ギヤ１１０と第二ギヤ１２０との間を通過した後に、第一ギヤ１１０とローラ１３０との間を通過する。このとき、外側シート２２は、内側シート２１の外面２１ａに重ね合わされ、内側シート２１および外側シート２２が積層された状態で第一ギヤ１１０の歯面とローラ１３０の周面との間に挟み込まれる。
【００２４】
なお、第一ギヤ１１０およびローラ１３０の少なくとも一方は加熱されている。したがって、内側シート２１と外側シート２２とは、第一ギヤ１１０とローラ１３０との間を通過したときに熱融着される。これにより、内側シート２１と外側シート２２とが積層されたシート２０が形成される。
【００２５】
以上のような清拭用手袋１では、図２（ｂ）に示すように、手袋本体１０（図１参照）の拭き取り面に複数の凸部２２ｃ，２２ｄが形成される。そして、手袋本体１０によって身体を拭いたときに、各凸部２２ｃ，２２ｄによって身体の汚れが掻き落とされるため、身体の汚れを確実に拭き取ることができる。したがって、身体の汚れに対する拭き取り性能を高めることができ、身体を清潔に拭き上げることができる。
また、清拭用手袋１では、外側シート２２の各凸部２２ｃ，２２ｄが中空であるため、手袋本体１０（図１参照）の肌触りを良くするとともに、手袋本体１０の吸水性を高めることができる。
【００２６】
以上、本発明の実施形態について説明したが、本発明は前記実施形態に限定されることなく、その趣旨を逸脱しない範囲で適宜に変更が可能である。
図４（ａ）に示すように、内側シート２１の内面２１ｂにも複数の凸部２１ｃ，２１ｄをエンボス加工によって形成してもよい。
この構成では、内側シート２１と外側シート２２との間に形成される空隙が大きくなるため、手袋本体の拭き取り面を柔らかくするとともに、手袋本体の吸水性をより高めることができる。
【００２７】
また、図４（ｂ）に示すように、内側シート２１および外側シート２２に複数の凸部２１ｃ，２１ｄ，２２ｃ、２２ｄを形成した場合には、内側シート２１の外面２１ａに平坦な中間シート２３を積層し、中間シート２３の外面２３ａに外側シート２２を積層してもよい。
【００２８】
また、本実施形態の手袋本体１０は、図１に示すように、ミント形状に形成されているが、その形状は限定されるものではなく、例えば、長方形の二枚のシートの縁部を接合して筒状の手袋本体を形成してもよい。
また、本実施形態の手袋本体１０では、二枚のシート２０，２０を熱融着しているが、縫合や接着剤によって二枚のシート２０，２０を接合してもよい。
【符号の説明】
【００２９】
１      清拭用手袋
２      手
１０    手袋本体
１１    挿入口
２０    シート
２１    内側シート
２１ｃ  大径の凸部
２１ｄ  小径の凸部
２２    外側シート
２２ｃ  大径の凸部
２２ｄ  小径の凸部
２３    中間シート
１００  製造装置
１１０  第一ギヤ
１２０  第二ギヤ
１３０  ローラ
２１０  原反
２２０  原反
【図１】
2015047462.tif 000003
【図２】
2015047462.tif 000004
【図３】
2015047462.tif 000005
【図４】
2015047462.tif 000006